(57)【要約】      （修正有）【課題】小さなカーブでもカーテンを引き回すことが可能な電動カーテン装置を提供する。【解決手段】カーテンレール５をループ状に取り巻く球体移動路３を設け、その途中に駆動部２を設ける。球体にワイヤーを挿通して数珠状につなぐと共に、カーテンの端部と連結するためのカーテン連結具４Ａ，４Ｂも挿通してループ状に形成した数珠状体を、球体移動路３内に収容する。駆動部２で、前記球体を順送りにより移動させることにより、カーテン連結具４Ａ，４Ｂを移動させ、カーテン端部を引っ張る。【選択図】図１
0003165100.tif 000002
【実用新案登録請求の範囲】
【請求項１】
球体にワイヤーを挿通して数珠状につなぐと共に、カーテンの端部と連結するためのカーテン連結具も挿通してループ状に形成された数珠状体と、
カーテンレールの両側ではそれに並行して配設され、カーテンレールの端部のところでは端部を回り込むように配設して全体としてはループ状に形成され、中に前記数珠状体が収容される球体移動路と、
該球体移動路の途中に設けられ、前記数珠状体の球体を順送りして移動させる駆動部と
を具えるよう構成し、
該駆動部を電動で作動させることにより前記カーテン連結具を移動させ、カーテンを開閉するようにした
ことを特徴とする電動カーテン装置。
【請求項２】
請求項１に記載した電動カーテン装置における駆動部を、
スプリングピッチが１個の球体の途中までを嵌まり込ませるサイズとされている駆動スプリングと、
該駆動スプリングをその中心軸の回りに回転させるモーターと、
円周上に有する弧状凹部が１個の球体の外周面に嵌まり合うサイズとされ、前記駆動スプリングの側方に対向配置されるスプロケットと、
数珠状体が該スプロケットと前記駆動スプリングとが対向配置されている間を通って移動し得るよう案内し支持する案内支持構造と、
前記スプロケットの軸を支持する軸ブラケットを有し、前記駆動スプリングのスプリングピッチに嵌まり込んでいる球体に弧状凹部が嵌まるよう該スプロケットを位置決めして配設されるスプロケット支持体と
で構成したことを特徴とする電動カーテン装置。
【請求項３】
請求項１に記載した電動カーテン装置における駆動部を、
円周上に有する弧状凹部が１個の球体の外周面に嵌まり合うサイズとされている駆動スプロケットと、
該駆動スプロケットを回転させるモーターと、
円周上に有する弧状凹部が１個の球体の外周面に嵌まり合うサイズとされ、前記駆動スプロケットと同じ平面上に隣接して配置されるスプロケットと、
数珠状体が該スプロケットと前記駆動スプロケットとの最も接近している弧状凹部同士の間を通って移動し得るよう案内し支持する案内支持構造と、
前記スプロケットの軸を支持する軸ブラケットを有し、前記駆動スプロケットの弧状凹部に嵌まり込んでいる球体に弧状凹部が嵌まるよう該スプロケットを位置決めして配設されるスプロケット支持体と
で構成したことを特徴とする電動カーテン装置。
【請求項４】
請求項１に記載した電動カーテン装置における駆動部を、
周側面上に螺旋状に施されているギヤ凹部の断面が１個の球体の外周面に嵌まり合うサイズとされている駆動ウォームギヤと、
該駆動ウォームギヤを回転させるモーターと、
円周上に有する弧状凹部が１個の球体の外周面に嵌まり合うサイズとされ、前記駆動ウォームギヤの側方に対向配置されるスプロケットと、
数珠状体が該スプロケットと前記駆動ウォームギヤとが対向配置されている間を通って移動し得るよう案内し支持する案内支持構造と、
前記スプロケットの軸を支持する軸ブラケットを有し、前記駆動ウォームギヤのギヤ凹部に嵌まり込んでいる球体に弧状凹部が嵌まるよう該スプロケットを位置決めして配設されるスプロケット支持体と
で構成したことを特徴とする電動カーテン装置。
【考案の詳細な説明】
【技術分野】
【０００１】
本考案は、モーターによりカーテンを自動的に開閉する電動カーテン装置に関するものである。
【背景技術】
【０００２】
従来の電動カーテン装置の１つの例としては、ロープあるいはワイヤー等（以下ロープ等と言う）をカーテンレールに沿って張っておき、カーテンレールに吊るしたカーテンの端部をロープ等に連結し、そのロープ等をモーターで引っ張ってカーテンを開閉するというタイプのものがある。
【先行技術文献】
【特許文献】
【０００３】
【特許文献１】特開平１１−１１３７３５号公報
【考案の概要】
【考案が解決しようとする課題】
【０００４】
前記した従来の電動カーテン装置には、次のような問題点があった。
第１の問題点は、カーテンを吊るして開閉させる部分が、長い直線部分とか大きな曲率でカーブする部分ばかりである場合にはさほど不都合はないものの、小さな曲率でカーブする部分があった場合、ロープ等ではそのような小さなカーブにうまく対応することが出来ず、カーテンをスムーズに開閉させることが出来ないという点である。
第２の問題点は、ロープ等が他の物に接触したり邪魔されたりすることなく自由に動くことが必要とされるので、ロープ等を配設するために相当大きな空間が占有されてしまうという点である。
本考案は、以上のような問題点を解決することを課題とするものである。
【課題を解決するための手段】
【０００５】
前記課題を解決するため、本考案の電動カーテン装置では、球体にワイヤーを挿通して数珠状につなぐと共に、カーテンの端部と連結するためのカーテン連結具も挿通してループ状に形成された数珠状体と、カーテンレールの両側ではそれに並行して配設され、カーテンレールの端部のところでは端部を回り込むように配設して全体としてはループ状に形成され、中に前記数珠状体が収容される球体移動路と、該球体移動路の途中に設けられ、前記数珠状体の球体を順送りして移動させる駆動部とを具えるよう構成し、該駆動部を電動で作動させることにより前記カーテン連結具を移動させ、カーテンを開閉することとした。
【０００６】
前記した駆動部はいろいろに構成することが出来る。例えば、スプリングピッチが１個の球体の途中までを嵌まり込ませるサイズとされている駆動スプリングと、該駆動スプリングをその中心軸の回りに回転させるモーターと、円周上に有する弧状凹部が１個の球体の外周面に嵌まり合うサイズとされ、前記駆動スプリングの側方に対向配置されるスプロケットと、数珠状体が該スプロケットと前記駆動スプリングとが対向配置されている間を通って移動し得るよう案内し支持する案内支持構造と、前記スプロケットの軸を支持する軸ブラケットを有し、前記駆動スプリングのスプリングピッチに嵌まり込んでいる球体に弧状凹部が嵌まるよう該スプロケットを位置決めして配設されるスプロケット支持体とで構成することが出来る。
【０００７】
前記した例では、球体を順送りする駆動手段としてスプリングを用いているが、その代わりにスプロケットやウォームギヤを用いるよう構成してもよい。
まずスプロケットを駆動手段として用いる場合について言うならば、次の通りである。即ち、円周上に有する弧状凹部が１個の球体の外周面に嵌まり合うサイズとされている駆動スプロケットと、該駆動スプロケットを回転させるモーターと、円周上に有する弧状凹部が１個の球体の外周面に嵌まり合うサイズとされ、前記駆動スプロケットと同じ平面上に隣接して配置されるスプロケットと、数珠状体が該スプロケットと前記駆動スプロケットとの最も接近している弧状凹部同士の間を通って移動し得るよう案内し支持する案内支持構造と、前記スプロケットの軸を支持する軸ブラケットを有し、前記駆動スプロケットの弧状凹部に嵌まり込んでいる球体に弧状凹部が嵌まるよう該スプロケットを位置決めして配設されるスプロケット支持体とで構成する。
【０００８】
次にウォームギヤを駆動手段として用いる場合について言うならば、次の通りである。即ち、周側面上に螺旋状に施されているギヤ凹部の断面が１個の球体の外周面に嵌まり合うサイズとされている駆動ウォームギヤと、該駆動ウォームギヤを回転させるモーターと、円周上に有する弧状凹部が１個の球体の外周面に嵌まり合うサイズとされ、前記駆動ウォームギヤの側方に対向配置されるスプロケットと、数珠状体が該スプロケットと前記駆動ウォームギヤとが対向配置されている間を通って移動し得るよう案内し支持する案内支持構造と、前記スプロケットの軸を支持する軸ブラケットを有し、前記駆動ウォームギヤのギヤ凹部に嵌まり込んでいる球体に弧状凹部が嵌まるよう該スプロケットを位置決めして配設されるスプロケット支持体とで構成することも出来る。
【考案の効果】
【０００９】
本考案の電動カーテン装置によれば、次のような効果を奏する。
（１）数珠状に連結された球体を順送りに移動してカーテンを引っ張る構造としているので、該球体のサイズを小さくしておくことにより、小さなカーブでもカーテンを引き回すことが可能となる。
（２）数珠状に連結された球体は天井等の壁面に設けた球体移動溝内に配設する構成としているが、球体移動溝の幅や深さは球体の直径よりやや大であれば良いので、球体の配設をするために大きな空間が占有されてしまうことがない。
【図面の簡単な説明】
【００１０】
【図１】本考案の全体概要を示す図
【図２】本考案における球体移動路を説明する図
【図３】本考案における駆動部を説明する図
【考案を実施するための形態】
【００１１】
以下、本考案の実施形態を図面に基づいて詳細に説明する。
図１は、本考案の全体概要を示す図である。図１において、１は電動カーテン装置、２は駆動部、３は球体移動路、４Ａ，４Ｂはカーテン連結具、５はカーテンレール、６はカーテン、７は数珠状体収納部である。
図１（１）はカーテンレール５を直線状に配設し、球体移動路３をループ状に配設したタイプ（直線ループタイプ）を示している。図１（２）はカーテンレール５を曲線状に配設し、球体移動路３をループ状に配設したタイプ（曲線ループタイプ）を示している。図１（３）はカーテン６を両側に開閉するのでなく片側に開閉するようにしたタイプ（片側開閉タイプ）を示している。これらの図は、例えば天井にカーテンレール５を配設し、それを下から見上げた時に見える図である。
【００１２】
図１（１）（２）のループタイプのものでは、球体移動路３は、カーテンレール５の両側ではそれに並行して配設し、カーテンレール５の端部のところでは端部を回り込むように配設して、全体としては１つのループ状となるよう形成する。球体移動路３内には、球体が数珠状につながれた数珠状体が収容される。その詳細は図２で説明する。
球体移動路３の途中には、駆動部２が設けられる。駆動部２は球体に順送りに移動させる力を与える部分であり、球体はこの力により球体移動路３中を移動させられる。駆動部２の設置位置は、カーテンの開閉に支障を来さない位置に選定される。
【００１３】
カーテン連結具４Ａ，４Ｂは、カーテン６の端部と連結するためのものである。これらは球体移動路３中の球体と球体との間に挟まれるように取り付けられ、球体が移動すると、それに押されて移動してゆく。カーテン６の少なくとも一方の端部は、カーテン連結具に取り付けられる。
図１（１）（２）では、各カーテン６の一方の端部は各カーテンレール５の端部付近に固定され、他方の端部はそれぞれカーテン連結具４Ａ，４Ｂに取り付けられている。
【００１４】
図示されてはいないが、カーテンレール５には言うまでもなくカーテンランナーが吊り下げられ、それにカーテン６が吊り下げられる。
図１（１）で駆動部２を動作させ、球体移動路３内の球体をＹ方向に移動させると、カーテン連結具４Ａは左方に移動され、カーテン連結具４Ｂは右方に移動される。つまり、張られていた２つのカーテン６は、中央付近から左右に開いて両端に集められる。
そのような状態で今度は球体をＸ方向に移動させると、カーテン連結具４Ａは右方に移動され、カーテン連結具４Ｂは左方に移動される。つまり、カーテン６は左右から中央へ集められ、カーテンは閉じられる。
【００１５】
図１（２）で駆動部２を動作させると、カーテン６は曲線状のカーテンレール５に沿って同様に開いたり閉じたりする。
図１（３）では球体移動路３がループ状になっていないので、数珠状体収納部７が設けられている。数珠状体収納部７は、数珠状体を収納しておく所である。駆動部２が球体をＹ方向へ移動させ、カーテン６を広げる場合には、不足する数珠状体を駆動部２へ供給する。駆動部２が球体をＸ方向へ移動させ、カーテン６を開く（集める）場合には、手繰り寄せられる数珠状体を引き取って収納する。
【００１６】
図２は、本考案における球体移動路を説明する図である。符号は図１のものに対応し、４はカーテン連結具、３０は数珠状体、３１はワイヤー、３２は球体、３３はワイヤー挿通孔、３４は球体移動溝、３５，３６はカバー、３７は隙間、４１は係合穴である。
図２（１）は、球体移動路３に収容されている数珠状体３０を示している。数珠状体３０は、ワイヤー３１，球体３２およびカーテン連結具４とで構成される。
【００１７】
球体３２には中心を貫通するワイヤー挿通孔３３が開けられ、そこにワイヤー３１が挿通され、数珠状につながれている。その適宜の箇所の球体と球体との間には、カーテン連結具４が挟まれるよう配置され、そのカーテン連結具４にもワイヤー３１が挿通される。球体３２がＸ方向またはＹ方向に移動させられると、それに押されてカーテン連結具４もＸ方向またはＹ方向に移動させられる。
カーテン連結具４の下端には係合穴４１が開けられている。これはカーテン６の端部と連結するための穴である。
【００１８】
図２（２）は、天井等に配設された球体移動路３を下から見上げた時の図である。球体移動路３は、球体移動溝３４とカバー３５，３６とで構成される。
球体移動溝３４は、この図では２本の点線の間の部分である。球体移動溝３４は下方が開口された溝として形成され、その中に数珠状につながれた球体３２等から成る数珠状体３０が収容される。そして、開口部分には球体３２が落下しないようカバー３５，３６が施される。その際、開口の中央に隙間３７が出来るようにしておく。そして、隙間３７の幅は、カーテン連結具４が移動するのに支障ない幅とする。
【００１９】
図２（３）は、図２（２）のＣ−Ｃ線で切って見た時の球体移動路３の断面を表している。球体移動溝３４の断面サイズは、１個の球体３２がスムーズに移動し得る程度のサイズとされる。断面の形状は、図示している例では四角形としているが、四角形のものでなくともよい。
球体移動溝３４内には、ワイヤー挿通孔３３にワイヤー３１が挿通された球体３２等（数珠状体３０）が収容され、カバー３５，３６はそれが落下しないようにしている。カバー３５，３６間の隙間３７の部分を、カーテン連結具４の根元部分が移動する。
【００２０】
図３は、本考案における駆動部を説明する図である。符号は図１，２のものに対応し、１０はガイドパイプ、１１はねじ、１２は支持板、１３はスプロケット、１４は軸、１５はスプロケット支持体、１６は軸ブラケット、１７はガイド支持板、１８は全体取付板、１９は止め具、２０は抱持帯、２１は軸受支持体、２２は軸受、２３は回転軸、２４は駆動スプリング、２５はモーター、２６は支持板、２７はガイド壁である。
【００２１】
この図は、カーテンの直ぐ横にある壁に駆動部２を取り付けた場合を示している。全体取付板１８は、駆動部２全体を壁に取り付けるための取付板であり、駆動部２の構成要素は、この全体取付板１８に対して直接取り付けられるか、あるいは別の支持板を介して取り付けられる。
モーター２５は、支持板２６を介して全体取付板１８に取り付けられている。回転軸２３はモーター２５により回転される。軸受２２は、回転軸２３の先端に配置された軸受であり、軸受支持体２１により全体取付板１８に取り付けられている。回転軸２３に被せるように、駆動スプリング２４が取り付けられる。駆動スプリング２４のスプリングピッチは、球体３２の直径よりやや小さい程度のピッチとしておく。１つのピッチ部分に１つの球体３２の球面の一部を嵌まり込ませるようにするためである。
【００２２】
駆動スプリング２４の側方には、それに対向するようスプロケット１３が配設される。スプロケット１３の円周上の弧状凹部のサイズは、球体３２の球面に丁度嵌まり合うサイズのものとしておく。スプロケット１３の軸１４は、軸ブラケット１６により支持される。この軸ブラケット１６は、スプロケット支持体１５の一部を成すよう構成されている。スプロケット支持体１５の幅方向（軸１４の軸方向）の中央には、縦方向（スプロケット１３の回転面方向）に長い穴が開けられており、この穴からスプロケット１３の一部が下方に出るようにされている。
スプロケット支持体１５は支持板１２に取り付けられ、支持板１２は全体取付板１８に取り付けられる。
【００２３】
スプロケット支持体１５の左右の端部はやや上方に曲げられており、これにガイド支持板１７が取付けられる。ガイド支持板１７は、図１，２等で示した球体移動路３から駆動部２に取り入れる数珠状体３０を案内するためのものである。球体移動路３からの数珠状体３０を構成する球体３２は、ガイドパイプ１０に導かれて駆動部２内に取り入れられる。ガイドパイプ１０は、例えばビニールパイプにより構成することが出来る。
【００２４】
駆動部２内に導入されたガイドパイプ１０の先端は、抱持帯２０によりガイド支持板１７に取り付けられる。止め具１９は、その取付け具である。
数珠状につながれた球体３２は、駆動スプリング２４とスプロケット１３とが対向する間を通過するよう案内されるが、両者が最も接近している付近では、ガイドパイプ１０も設けられず剥き出しのままとされる。駆動スプリング２４やスプロケット１３との噛み合わせ（ないしは嵌合）を行わせるためである。但し、剥き出しとされている部分の両側には、球体３２が側方にはみ出さないようにするため、ガイド壁２７を必要に応じて設けてもよい。
上記したガイドパイプ１０，ガイド支持板１７，止め具１９，抱持帯２０およびガイド壁２７等は、数珠状体３０の案内支持構造を構成している。
【００２５】
駆動スプリング２４に最も近い位置に来た球体３２は、下方においては駆動スプリング２４のピッチ間に嵌まり込み、上方においてはスプロケット１３の１つの弧状凹部に嵌まり合った状態にされる。
この状態で駆動スプリング２４がモーター２５により回転させられると、駆動スプリング２４に嵌まり込んでいた球体３２は、駆動スプリング２４の螺旋進行方向へ押しやられる。押しやられると次の球体３２がスプリングピッチ間に嵌まり込んで来る。スプロケット１３は、押しやられる球体３２より力を受け、その力に従動して回転し、次に来た球体３２の上面に嵌まり合ってかき寄せる。
このような動作から分かるように、駆動スプリング２４とスプロケット１３とは、球体３２を順送りする機構を構成している。そして、順送りにより球体３２を移動させ、球体３２の間に挟まれているカーテン連結具４を移動させている。
【００２６】
モーター２５の回転方向が逆にされると、駆動スプリング２４の螺旋進行方向が逆になるから、球体３２の移動方向は逆になる。
ところで、球体移動路３のカーブは球体３２が移動し得るものであればいいわけであるが、球体３２は順送りで移動されるので、小さなカーブでも移動し得る。そのため、本考案の球体移動路３は、図１（２）に示したように、小さなカーブを含むよう形成することが可能となる。即ち、カーテンを小さなカーブで引き回すことが出来るようになる。
これは、ロープを使った従来の電動カーテン装置では、小さなカーブで引き回すことが出来なかったので、それと比べると本考案の大きな特徴と言うことが出来る。
【００２７】
なお、図３に示した例では、球体３２を順送りして移動させる駆動手段として、駆動スプリング２４を採用しているが、他の手段を採用することも出来る。
例えば、駆動スプリング２４を、別のスプロケット（円周上に有する弧状凹部が１個の球体の外周面に嵌まり合うサイズとされている駆動スプロケット）で置き換える。そして、それを、スプロケット１３と同じ平面上に隣接して配置し、モーターで駆動するようにするのである。その場合、数珠状体３０は、駆動スプロケットとスプロケット１３との最も接近している弧状凹部同士の間を通って移動し得るようにしておく。
【００２８】
あるいはまた、駆動スプリング２４を、ウォームギヤ（周側面上に螺旋状に施されているギヤ凹部の断面が１個の球体の外周面に嵌まり合うサイズとされている駆動ウォームギヤ）で置き換える。その場合、駆動ウォームギヤの側方にスプロケット１３が対向配置される形になるが、数珠状体３０は、駆動ウォームギヤとスプロケット１３との最も接近している凹部同士の間を通って移動し得るようにしておく。
【符号の説明】
【００２９】
１…電動カーテン装置、２…駆動部、３…球体移動路、４，４Ａ，４Ｂ…カーテン連結具、５…カーテンレール、６…カーテン、７…数珠状体収納部、１０…ガイドパイプ、１１…ねじ、１２…支持板、１３…スプロケット、１４…軸、１５…スプロケット支持体、１６…軸ブラケット、１７…ガイド支持板、１８…全体取付板、１９…止め具、２０…抱持帯、２１…軸受支持体、２２…軸受、２３…回転軸、２４…駆動スプリング、２５…モーター、２６…支持板、２７…ガイド壁、３０…数珠状体、３１…ワイヤー、３２…球体、３３…ワイヤー挿通孔、３４…球体移動溝、３５，３６…カバー、３７…隙間、４１…係合穴
【図１】
0003165100.tif 000003
【図２】
0003165100.tif 000004
【図３】
0003165100.tif 000005